(57)【要約】 【課題】  ゴミ袋の設置を迅速容易に行うことができるゴミ容器を提供する。【解決手段】  上方に開口部を有する有底筒状の容器本体１０と、容器本体１０の内部を略水平に仕切る仕切板２０とを備え、仕切板２０には取出孔２２が形成されており、複数のゴミ袋３３を分離可能に連設した袋連設体３０を容器本体１０における仕切板２０の下方に収容し、袋連設体３０の最端部のゴミ袋３３を取出孔２２から引き出して容器本体１０内に拡げることができるゴミ容器１であって、容器本体１０の内外を連通する連通孔１３が形成されている。【選択図】  図５
2012096891.tif 000002
【特許請求の範囲】
【請求項１】
上方に開口部を有する有底筒状の容器本体と、
前記容器本体の内部を略水平に仕切る仕切板とを備え、
前記仕切板には取出孔が形成されており、
複数のゴミ袋を分離可能に連設した袋連設体を前記容器本体における前記仕切板の下方に収容し、前記袋連設体の最端部のゴミ袋を前記取出孔から引き出して前記容器本体内に拡げることができるゴミ容器であって、
前記容器本体の内外を連通する連通孔が形成されているゴミ容器。
【請求項２】
前記連通孔は、前記容器本体において前記仕切板よりも下方に形成されている請求項１に記載のゴミ容器。
【請求項３】
前記容器本体は、有底の下部容器内に、筒状の上部容器の下部を収容して構成されており、
前記仕切板は、前記上部容器の底部により構成されている請求項１または２に記載のゴミ容器。
【請求項４】
前記取出孔は、スリット状に形成された取出孔本体と、前記取出孔本体の一部にスリット幅を拡大するように切欠状に形成された指挿入部とを備える請求項１から３のいずれかに記載のゴミ容器。    
【発明の詳細な説明】
【技術分野】
【０００１】
本発明は、ゴミ容器に関し、より詳しくは、内部にゴミ袋を設置して使用するゴミ容器に関する。
【背景技術】
【０００２】
従来のゴミ容器として、例えば特許文献１に開示された構成が知られている。図１０に示すように、ゴミ箱５０は、ゴミ箱本体５１の内部に仕切板５２が設けられており、仕切板５２の下方にゴミ袋収納部５３が形成されている。ゴミ袋収納部５３には、複数のゴミ袋５４ａが切込線Ｃを介して連設されたゴミ袋集合体５４がロール状に巻回された状態で収納され、仕切板５２に形成されたスリット５２ａからゴミ袋集合体５４の一端を引き出して、最端のゴミ袋５４ａの開口部を拡げながらゴミ箱本体５１の開口縁部に引っ掛けることにより、ゴミ袋５４ａをゴミ箱本体５１に設置することができる。設置したゴミ袋５４ａがゴミ等で一杯になると、上方に引き上げることにより、このゴミ袋５４ａに連設されている新たなゴミ袋が仕切板５２の上方に引き上げられるので、ゴミ入りのゴミ袋５４ａを切込線Ｃで切り離すことにより、新たなゴミ袋をゴミ箱本体５１内に設置することができる。
【先行技術文献】
【特許文献】
【０００３】
【特許文献１】特開２０００−３５１４０１号公報
【発明の概要】
【発明が解決しようとする課題】
【０００４】
上記従来のゴミ箱５０は、ゴミ箱本体５１に設置されるゴミ袋５４ａが、ゴミ袋収納部５３内のゴミ袋集合体５４と連設されているため、ゴミ袋５４ａをゴミ箱本体５１の開口縁部に引っ掛けた時には、ゴミ袋５４ａの下部が窄まった状態になる。ところが、ゴミ袋５４ａの内部を押し拡げて収容空間を確保しようとすると、ゴミ袋５４ａの周囲の空気が抵抗になって、ゴミ袋５４ａをゴミ箱本体５１の内面に沿って設置することが困難であったり、ゴミ箱本体５１の開口縁部からゴミ袋５４が外れるおそれがあり、ゴミ袋５４ａを設置する際の作業性の面で問題があった。
【０００５】
そこで、本発明は、ゴミ袋の設置を迅速容易に行うことができるゴミ容器の提供を目的とする。
【課題を解決するための手段】
【０００６】
本発明の前記目的は、上方に開口部を有する有底筒状の容器本体と、前記容器本体の内部を略水平に仕切る仕切板とを備え、前記仕切板には取出孔が形成されており、複数のゴミ袋を分離可能に連設した袋連設体を前記容器本体における前記仕切板の下方に収容し、前記袋連設体の最端部のゴミ袋を前記取出孔から引き出して前記容器本体内に拡げることができるゴミ容器であって、前記容器本体の内外を連通する連通孔が形成されているゴミ容器により達成される。
【０００７】
このゴミ容器において、前記連通孔は、前記容器本体において前記仕切板よりも下方に形成されていることが好ましい。より具体的には、前記連通孔を、前記容器本体の底部、底部の周縁あるいは側壁のいずれかに形成することができる。
【０００８】
また、前記容器本体は、有底の下部容器内に、筒状の上部容器の下部を収容して構成することができ、前記仕切板は、前記上部容器の底部により構成することができる。
【０００９】
前記取出孔は、スリット状に形成された取出孔本体と、前記取出孔本体の一部にスリット幅を拡大するように切欠状に形成された指挿入部とを備えることが好ましい。
【発明の効果】
【００１０】
本発明によれば、ゴミ袋の設置を迅速容易に行うことができるゴミ容器を提供することができる。
【図面の簡単な説明】
【００１１】
【図１】本発明の一実施形態に係るゴミ容器の縦断面図である。
【図２】図１のＡ−Ａ断面図である。
【図３】図１のＢ−Ｂ断面図である。
【図４】図１に示すゴミ容器に用いられる袋連設体の一例を示す平面図である。
【図５】図１に示すゴミ容器の使用方法を説明するための縦断面図である。
【図６】図１に示すゴミ容器の変形例を示す縦断面図である。
【図７】図１に示すゴミ容器の他の変形例を示す要部斜視図である。
【図８】本発明の他の実施形態に係るゴミ容器の縦断面図である。
【図９】図８に示すゴミ容器の変形例を示す縦断面図である。
【図１０】従来のゴミ箱の縦断面図である。
【発明を実施するための形態】
【００１２】
以下、本発明の実施の形態について、添付図面を参照して説明する。図１は、本発明の一実施形態に係るゴミ容器の縦断面図である。図１に示すように、ゴミ容器１は、容器本体１０と、容器本体１０の内部を略水平に仕切る仕切板２０とを備えている。容器本体１０は、有底筒状に形成されており、上部の開口周縁にフランジ部１１が形成されている。容器本体１０の底部１０ａの下面には、床面Ｆと接する複数の突部１２が設けられている。また、仕切板２０は、下方に延びる筒状の脚部２１を備えており、容器本体１０の底部１０ａに脚部２１の下端が当接することで、仕切板２０と底部１０ａとの間に、後述する袋連設体（図示せず）を収容する収容空間Ｓを形成している。
【００１３】
図２は、図１のＡ−Ａ断面図である。図１および図２に示すように、仕切板２０は、容器本体１０の内周断面と略同じ大きさに形成されており、袋連設体（図示せず）を取り出すための取出孔２２を略中央に有している。取出孔２２は、スリット状に形成された取出孔本体２２ａと、取出孔本体２２ａの中央部をスリット幅が大きくなるように切欠状に形成した指挿入部２２ｂとを備えている。
【００１４】
図３は、図１のＢ−Ｂ断面図である。図１および図３に示すように、容器本体１０の底部１０ａには、容器本体１０の内部を外部と連通する複数の連通孔１３が形成されている。
【００１５】
次に、上述したゴミ容器１の使用方法を説明する。まず、仕切板２０の下方に形成された収容空間Ｓに、例えば図４に示すような袋連設体３０を収容する。袋連設体３０は、合成樹脂などにより形成された長尺の筒状体を長手方向に沿って等間隔に熱溶着することで底部３１が形成され、それぞれの底部３１に隣接するようにミシン目３２を備えており、ミシン目３２，３２の間にゴミ袋３３が形成されている。すなわち、袋連設体３０は、ミシン目３２で分離可能な複数のゴミ袋３３が、長手方向に沿って連設されている。このような袋連設体３０は、ロール状に巻回した状態や蛇腹状に折り畳んだ状態で通常市販されているものを使用することができる。袋連設体３０は、ロール状の中心部に芯棒（図示せず）を挿通し、収容空間Ｓ内おいて回転可能に支持してもよい。
【００１６】
ついで、図５（ａ）に示すように、袋連設体３０の端部を取出孔２２から仕切板２０の上方に引き出し、袋連設体３０の最端部に位置するゴミ袋３３の開口縁部を、容器本体１０のフランジ部１１の全周に係合させる。取出孔２２の取出孔本体２１のスリット幅は、袋連設体３０の厚みよりも若干大きい程度に形成することで、引き出した袋連設体３０を取出孔本体２１において保持し易くすることができ、ゴミ袋３３がフランジ部１１から不意に外れた際に収容空間Ｓに落下するのを防止することができる。また、指挿入部２２ｂの大きさは、仕切板２０の上方から収容空間Ｓに指を挿入して、袋連設体３０を摘み出すことができる程度であることが好ましく、これによってゴミ袋３３の設置作業性を良好にすることができる。指挿入部２２ｂは、円弧状とする代わりに、矩形状など他の形状であってもよい。また、指挿入部２２ｂの形成位置は、取出孔本体２１の中央部でなく端部などであってもよい。取出孔２２の形状や大きさは特に限定されるものではなく、例えば、指挿入部２２ｂを備えずに一定の幅を有するものであってもよい。
【００１７】
仕切板２０の上方に引き出したゴミ袋３３の下部は、袋連設体３０のロール状に巻回された部分と繋がっているために窄まっている。このため、設置したゴミ袋３３のゴミ収容空間を確保できるように、図５（ａ）に矢示するように、ゴミ袋３３を拡げる必要がある。このとき、容器本体１０の上部は、ゴミ袋３３をフランジ部１１に係合させることにより封止されているが、容器本体１０の底部１０ａには連通孔１３が形成されているため、ゴミ袋３３を押し拡げる際にゴミ袋３３の周囲に存在する空気を、仕切板２０の取出孔２２などの隙間を介して、連通孔１３から外部に排出することができる。したがって、図５（ｂ）に示すように、ゴミ袋３３を容器本体１０の内面に沿うように拡げることができ、ゴミ袋３３の設置を迅速容易に行うことができる。ゴミ袋３３の交換時は、従来と同様に、ゴミ袋３３を上方に持ち上げてミシン目３２で分離することにより、新たなゴミ袋３３を容器本体１０に設置することができる。
【００１８】
仕切板２０は、本実施形態のように脚部２１によって支持する代わりに、図６に示すように、容器本体１０の内面から内方に突出するように設けた支持部材１５により支持するように構成してもよい。
【００１９】
本実施形態の連通孔１３は、容器本体１０の底部１０ａに形成されており、連通孔１３の形成に伴いゴミ容器１の美感が損なわれることを防止すると共に、連通孔１３を容器本体１０の内部を洗浄した際の排水口として機能させることもできる。但し、連通孔１３の形成位置は、容器本体１０の底部１０ａに限定されず、容器本体１０の他の任意の位置であってもよい。連通孔１３を、容器本体１０における仕切板２０よりも下方に形成した場合には、連通孔１３を介してゴミ袋３３が露出するおそれがないので、特に好ましい。連通孔１３の数や大きさについても特に限定はなく、単一であってもよい。
【００２０】
好ましい実施形態として、図７に示すように、容器本体１０の底部１０ａの周縁に連通孔１３を形成してもよい。この構成によれば、容器本体１の内部を洗浄水で洗浄した後、容器本体１を傾けて、この連通孔１３を介して排水することができるので、容易に洗浄することができる。特に、容器本体１０の形状が角筒状である場合、図７に示すように、２つの連通孔１３，１３を互いに対向するように角部に形成することで、洗浄水の排水をより容易に行うことができる。
【００２１】
また、図８に示すゴミ容器１００のように、容器本体１１０が上部容器１１８および下部容器１１９を備える構成にして、有底の下部容器１１９内に筒状の上部容器１１８の下部を収容してもよい。この構成においては、上部容器１１８の底部を仕切板１２０とすることができるので、この仕切板１２０に取出孔１２２を形成すると共に、下部容器１１９の底部に連通孔１１３を形成することができる。上部容器１１８および下部容器１１９は、上部容器１１８を下部容器１１９に重ねた際に収容空間Ｓが形成されるように、いずれも側壁がテーパ状に形成されている。但し、図６に示す構成と同様に、下部容器１１９の内面に、仕切板１２０を支持する支持部材を設けてもよい。このような構成を備えるゴミ容器１００は、上部容器１１８の内部全体にゴミを収容することができるので、収容量の確保が容易である。また、下部容器１１９を取り外して収容空間Ｓに袋連設体(図示せず）を容易に収容できると共に、仕切板１２０の下方から袋連設体を取出孔１２２に容易に挿通することができるので、作業性を高めることができる。更に、製造コストの低減や洗浄作業を容易にする効果も生じる。
【００２２】
また、図９に示すように、連通孔１１３を下部容器１１９の側壁に形成し、この連通孔１１３を介して収容空間Ｓに袋連設体を収容可能に構成してもよい。このように、容器本体１１０の側壁に連通孔１１３を形成する場合には、仕切板や下部容器を取り外すことなく袋連設体を補充することができるので、作業性を高めることができる。容器本体１１０の側壁における連通孔１１３の形成位置は、目立ちにくいように容器本体１１０の裏面側であることが好ましい。図９に示す構成においては、洗浄が容易となるように、下部容器１１９の側壁だけでなく底部にも連通孔１１３を形成してもよい。
【００２３】
本発明のゴミ容器は、上記のようにゴミ袋の設置・交換が容易であるため、台所や居間など家庭において利用できる他、自家用車やタクシー、バス等の車室内において好適に用いることができ、更には業務用としても使用可能である。
【符号の説明】
【００２４】
１，１００  ゴミ容器
１０，１１０  容器本体
１０ａ，１１０ａ  底部
１０ｂ  角部
１３，１１３  連通孔
１１８  上部容器
１１９  下部容器
２０，１２０  仕切板
２２，１２２  取出孔
２２ａ  取出孔本体
２２ｂ  指挿入部
３０  袋連設体
３３  ゴミ袋
【図１】
2012096891.tif 000003
【図２】
2012096891.tif 000004
【図３】
2012096891.tif 000005
【図４】
2012096891.tif 000006
【図５】
2012096891.tif 000007
【図６】
2012096891.tif 000008
【図７】
2012096891.tif 000009
【図８】
2012096891.tif 000010
【図９】
2012096891.tif 000011
【図１０】
2012096891.tif 000012
【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
上方に開口部を有する有底筒状の容器本体と、
前記容器本体の内部を略水平に仕切る仕切板とを備え、
前記仕切板には取出孔が形成されており、
複数のゴミ袋を分離可能に連設した袋連設体を前記容器本体における前記仕切板の下方に収容し、前記袋連設体の最端部のゴミ袋を前記取出孔から引き出して前記容器本体内に拡げることができるゴミ容器であって、
前記容器本体の内外を連通する連通孔が形成され、
前記容器本体は、有底の下部容器内に、筒状の上部容器の下部を収容して構成されており、
前記仕切板は、前記上部容器の底部により構成されているゴミ容器。
【請求項２】
前記連通孔は、前記容器本体において前記仕切板よりも下方に形成されている請求項１に記載のゴミ容器。
【請求項３】
前記取出孔は、スリット状に形成された取出孔本体と、前記取出孔本体の一部にスリット幅を拡大するように切欠状に形成された指挿入部とを備える請求項１または２に記載のゴミ容器。    
【手続補正２】
【補正対象書類名】明細書
【補正対象項目名】０００６
【補正方法】変更
【補正の内容】
【０００６】
本発明の前記目的は、上方に開口部を有する有底筒状の容器本体と、前記容器本体の内部を略水平に仕切る仕切板とを備え、前記仕切板には取出孔が形成されており、複数のゴミ袋を分離可能に連設した袋連設体を前記容器本体における前記仕切板の下方に収容し、前記袋連設体の最端部のゴミ袋を前記取出孔から引き出して前記容器本体内に拡げることができるゴミ容器であって、前記容器本体の内外を連通する連通孔が形成され、前記容器本体は、有底の下部容器内に、筒状の上部容器の下部を収容して構成されており、前記仕切板は、前記上部容器の底部により構成されているゴミ容器により達成される。
【手続補正３】
【補正対象書類名】明細書
【補正対象項目名】０００８
【補正方法】削除
【補正の内容】
【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
上方に開口部を有する有底筒状の容器本体と、
前記容器本体の内部を略水平に仕切る仕切板とを備え、
前記仕切板には取出孔が形成されており、
複数のゴミ袋を分離可能に連設した袋連設体を前記容器本体における前記仕切板の下方に収容し、前記袋連設体の最端部のゴミ袋を前記取出孔から引き出して前記容器本体内に拡げることができるゴミ容器であって、
前記容器本体の内外を連通する連通孔が形成され、
前記容器本体は、有底の下部容器内に、筒状の上部容器の下部を収容して構成されており、
前記仕切板は、前記上部容器の底部により構成され、
前記上部容器および前記下部容器の側壁がテーパ状に形成されて、前記上部容器の側壁外周面と前記下部容器の側壁内周面との密着のみによって前記上部容器の下方に前記袋連設体の収容空間が形成され、
前記連通孔が下部容器の側壁に形成され、前記連通孔を介して前記収容空間に前記袋連設体を収容可能に構成されたゴミ容器。
【請求項２】
前記連通孔は、前記容器本体において前記仕切板よりも下方に形成されている請求項１に記載のゴミ容器。
【請求項３】
前記取出孔は、スリット状に形成された取出孔本体と、前記取出孔本体の一部にスリット幅を拡大するように切欠状に形成された指挿入部とを備える請求項１または２に記載のゴミ容器。    
【手続補正２】
【補正対象書類名】明細書
【補正対象項目名】０００６
【補正方法】変更
【補正の内容】
【０００６】
本発明の前記目的は、上方に開口部を有する有底筒状の容器本体と、前記容器本体の内部を略水平に仕切る仕切板とを備え、前記仕切板には取出孔が形成されており、複数のゴミ袋を分離可能に連設した袋連設体を前記容器本体における前記仕切板の下方に収容し、前記袋連設体の最端部のゴミ袋を前記取出孔から引き出して前記容器本体内に拡げることができるゴミ容器であって、前記容器本体の内外を連通する連通孔が形成され、前記容器本体は、有底の下部容器内に、筒状の上部容器の下部を収容して構成されており、前記仕切板は、前記上部容器の底部により構成され、前記上部容器および前記下部容器の側壁がテーパ状に形成されて、前記上部容器の側壁外周面と前記下部容器の側壁内周面との密着のみによって前記上部容器の下方に前記袋連設体の収容空間が形成され、前記連通孔が下部容器の側壁に形成され、前記連通孔を介して前記収容空間に前記袋連設体を収容可能に構成されたゴミ容器により達成される。